(57)【要約】  【課題】曲名もアーティスト名も分からない状態でも利用者が容易に演奏予約ができ、かつ、利用者がカラオケ演奏装置に保持されていない楽曲を希望要請したり、カラオケ提供者が人気のカラオケ楽曲を効率的に把握できるようなカラオケ演奏装置の提供。  【解決手段】デジタル放送の番組関連データから抽出した文字列を検索キーとして、これによりカラオケ楽曲属性データを検索し、該当カラオケ楽曲の演奏予約を行うと共に、該当カラオケ楽曲がない場合には、そのカラオケ楽曲をカラオケ収納希望楽曲として記録しておき、記録された当該カラオケ収納希望楽曲を適宜な伝達手段により外部システムに伝達させる。【選択図】図１
2005215304.tif 000002
【特許請求の範囲】
【請求項１】
多数のカラオケの楽曲演奏データと楽曲属性データとを保持し、利用者が所望するカラオケ楽曲の演奏予約に従って楽曲演奏を行うカラオケ演奏装置において、楽曲演奏の合間に出力するための音楽番組とこれに多重されたテキスト形式の番組関連データとを受信するためのデジタル放送受信手段を付帯し、前記番組関連データから抽出した文字列を検索キーとして、これによりカラオケ楽曲属性データを検索し、検索されたカラオケ楽曲属性データの一覧を利用者に対して表示し、利用者によって前記一覧表示されたカラオケ楽曲属性データの中から指定した所定のカラオケ楽曲属性データに対応するカラオケ楽曲を抽出し、該当カラオケ楽曲の演奏予約を行うと共に、該当カラオケ楽曲がない場合には、そのカラオケ楽曲をカラオケ収納希望楽曲として記録しておき、記録された当該カラオケ収納希望楽曲を適宜な伝達手段により外部システムに伝達することを特徴とするカラオケ演奏装置。
【発明の詳細な説明】
【技術分野】
【０００１】
本発明は、多数のカラオケの楽曲演奏データと楽曲属性データとを保持し、利用者が所望するカラオケ楽曲の演奏予約に従って楽曲演奏を行うカラオケ演奏装置に関し、さらに詳しくは、デジタル放送受信手段を付帯したカラオケ演奏装置に関する。
【背景技術】
【０００２】
最近のカラオケ演奏装置では、多数のカラオケ楽曲が演奏可能となっており、最新の機種では実に５万曲に達するものもある。しかしながら、これほどまでにカラオケ楽曲を保持できない機種では、ある程度、利用者が所望する楽曲を選択せざるを得ない。しかしながら、利用者の好みは多種多様であり、カラオケ演奏装置に保持されていない楽曲を利用者がリクエストする場合がある。このような場合には、当然、その楽曲の演奏はできず、そのような楽曲のリクエスト回数が少なければ不都合はないが、利用者から度々リクエストされると問題が生じる。したがって、カラオケ提供者は、利用者が所望する楽曲を好適に選択するため、人気のカラオケ楽曲を把握する必要がある。
【０００３】
そこで、このような問題を解決するため、カラオケの範疇ではないものの、関連する技術分野において、未だソフト化されていない曲のソフト化の要望をソフトの供給業者（作成業者または販売業者）に対し簡単かつ正確に伝えるための技術が想到された。例えば、特許文献１では、ソフト化を希望する曲を特定するソフト化希望曲特定情報を入力し、入力された演奏希望曲特定情報と対応する演奏データが演奏データ記憶手段に格納されているか否かを判断し、格納されていないと判断した時は、演奏データが格納されていない旨を音楽演奏装置側出力手段に対して出力すると共に、ソフト化要望モード指示情報の入力に基づいてソフト化希望曲特定情報を通信手段から送信させる技術が開示されている。
【０００４】
ところで、利用者は自分の唄いたい楽曲を選択するため、目次本や電子目次本機能を有したリモコン装置などを利用し、曲名やアーティスト名などから探り出したり、データベース検索するものであるが、例えば、テレビやラジオあるいは映画などで耳にする好みの楽曲で、曲名もアーティスト名も分からない場合も多々ある。このような場合には、要望自体が不明瞭となってしまうが、手がかりとなる情報から所望のカラオケ楽曲を直接特定できれば、曲名やアーティスト名を知らなくても要望はできる。そこで、例えば、特許文献２では、デジタル放送で受信した音楽番組をカラオケ演奏の合間に余興番組として流す機能を備えたカラオケ演奏装置が想到され、この装置の利用者が音楽番組で流れた曲をカラオケで歌ってみたいと思うことが多いことに着目し、流れている音楽番組に対応するカラオケ楽曲の曲名などをディスプレイに表示してこの中から利用者に選曲予約させるようにした仕組みが開示されている。
【特許文献１】特許第２８１９７５１号公報
【特許文献２】特開平１１−１６１２８６号公報
【発明の開示】
【発明が解決しようとする課題】
【０００５】
しかしながら、従来技術においては、例えば、特許文献１で開示された技術を利用しても、カラオケ演奏装置に保持されていない楽曲に対しては、曲名もアーティスト名も分からない状態では希望要請ができるものではなく、一方、例えば、特許文献２で開示された技術では、曲名もアーティスト名も分からない状態でも利用者が容易に演奏予約することができるものの、利用者がカラオケ演奏装置に保持されていない楽曲を希望要請したり、カラオケ提供者が人気のカラオケ楽曲を効率的に把握するようなことはできなかった。
【０００６】
そこで、本発明は、上記問題や不都合を解消するために想到されたもので、すなわち、曲名もアーティスト名も分からない状態でも利用者が容易に演奏予約ができ、かつ、利用者がカラオケ演奏装置に保持されていない楽曲を希望要請したり、カラオケ提供者が人気のカラオケ楽曲を効率的に把握できるようなカラオケ演奏装置の提供を課題とする。
【課題を解決するための手段】
【０００７】
上記課題を鑑み、本発明者らは、デジタル放送の番組関連データから抽出した文字列を検索キーとして、これによりカラオケ楽曲属性データを検索し、該当カラオケ楽曲の演奏予約を行うと共に、該当カラオケ楽曲がない場合には、そのカラオケ楽曲をカラオケ収納希望楽曲として記録しておき、記録された当該カラオケ収納希望楽曲を適宜な伝達手段により外部システムに伝達させることで、上記課題を解決できることを見出し、本発明のカラオケ演奏装置を想到した。
【０００８】
すなわち、本発明のカラオケ演奏装置は、多数のカラオケの楽曲演奏データと楽曲属性データとを保持し、利用者が所望するカラオケ楽曲の演奏予約に従って楽曲演奏を行うカラオケ演奏装置において、楽曲演奏の合間に出力するための音楽番組とこれに多重されたテキスト形式の番組関連データとを受信するためのデジタル放送受信手段を付帯し、前記番組関連データから抽出した文字列を検索キーとして、これによりカラオケ楽曲属性データを検索し、検索されたカラオケ楽曲属性データの一覧を利用者に対して表示し、利用者によって前記一覧表示されたカラオケ楽曲属性データの中から指定した所定のカラオケ楽曲属性データに対応するカラオケ楽曲を抽出し、該当カラオケ楽曲の演奏予約を行うと共に、該当カラオケ楽曲がない場合には、そのカラオケ楽曲をカラオケ収納希望楽曲として記録しておき、記録された当該カラオケ収納希望楽曲を適宜な伝達手段により外部システムに伝達することを特徴とする。
【発明の効果】
【０００９】
したがって、本発明のカラオケ演奏装置によれば、デジタル放送の番組関連データから利用者が指定した所定のカラオケ楽曲属性データに対応するカラオケ楽曲を抽出し、該当カラオケ楽曲の演奏予約を行うと共に、該当カラオケ楽曲がない場合は、そのカラオケ楽曲をカラオケ収納希望楽曲として記録しておき、記録された当該カラオケ収納希望楽曲を適宜な伝達手段により外部システムに伝達することで、曲名もアーティスト名も分からない状態でも利用者が容易に演奏予約ができ、かつ、利用者がカラオケ演奏装置に保持されていない楽曲を希望要請したり、カラオケ提供者が人気のカラオケ楽曲を効率的に把握できるといった効果を奏する。
【発明を実施するための最良の形態】
【００１０】
以下、本発明のカラオケ演奏装置について、最適な実施例を挙げ、本発明を詳述する。
【実施例１】
【００１１】
図１に本発明のカラオケ演奏装置のブロック構成図を示す。本実施例のカラオケ演奏装置（１）は、ＣＰＵ・メモリなどからなる中央制御手段（３）を中心として構成され、ハードディスク（５）、表示制御手段（６）、ディスプレイ（７）、ミキシングアンプ（８）、マイク（１２）、スピーカ（１３）、リモコン装置（１４）、操作パネル（１５）、リモコン受信部（１７）、操作制御部（１８）からなる利用者インタフェイス（１９）、ＤＶＤ装置（２３）、ＣＳやＢＳなどの衛星を利用したデジタル放送やインターネットを利用したＩＰラジオなどのデジタル放送受信手段（２５）、この受信手段（２５）に接続されるパラボラアンテナ（２７）などを備える。
【００１２】
ハードディスク（５）には、ＭＩＤＩ形式で記述されたカラオケの楽曲演奏データ（２９）、歌詞映像データ（３１）とテキストデータ形式で記述された楽曲名やアーティスト名などの楽曲属性データ（３３）がそれぞれ楽曲ＩＤ別に整理されて格納されている。利用者インタフェイス（１９）により利用者がリクエストしたいカラオケ楽曲の楽曲ＩＤを入力する（演奏予約を行う）と、中央制御手段（３）はその楽曲ＩＤをメモリ上の予約テーブルに登録する。中央制御手段（３）は、予約テーブルに登録されている各楽曲ＩＤに対応する楽曲演奏データ（２９）を読み出し、これに基づいて再生した伴奏音楽をマイク（１２）に入力された歌唱音声にミキシングアンプ（８）によりミキシングしてスピーカ（１３）に出力する。一方、ＤＶＤ装置２３から出力される背景映像に演奏中のカラオケ楽曲の楽曲ＩＤに対応する歌詞映像データ（３１）に基づく歌詞映像を表示制御手段（６）によりスーパインポーズし、その映像をディスプレイ（７）に出力する。
【００１３】
このカラオケ演奏装置（１）は、カラオケ伴奏の合間などにデジタル放送の音楽番組を余興番組として流す機能を備えている。デジタル放送の受信再生はデジタル放送受信手段（２５）によって行われ、デジタル放送受信手段（２５）は中央制御手段（３）からの動作指示に応答して受信再生処理を開始する。なおデジタル放送受信手段（２５）の基本的な仕組みは前述した特開平１１−１６１２８６号公報に記載のものと同様である。
【００１４】
デジタル放送受信手段（２５）はパラボラアンテナ（２７）から入力される放送信号に多重されているデータを番組毎のデータストリームに分離し、各番組のデータストリームから音声データ、映像データ、番組関連データを抽出する。また、必要な場合にはスクランブル解除処理も行う。さらに、デジタル放送受信手段（２５）は分離したＭＰＥＧ２形式の音声データや映像データをデコードして音声信号や映像信号に復号する。復号された音声信号はミキシングアンプ（８）に、また映像信号は表示制御手段（６）に出力され、スピーカ（１３）およびディスプレイ（７）により音楽番組が出力される。
【００１５】
デジタル放送受信手段（２５）はデジタル放送の音楽番組の再生出力を開始すると、この音楽番組の放送信号に多重されている番組関連データを分離して、これを中央制御手段（３）に転送する。中央制御手段（３）は番組関連データを受け取ると、これに含まれるテキストデータ形式の「曲名」および「アーティスト名」の文字列を抽出し、それぞれ第１および第２検索キーとしてこれら双方の文字列を含む楽曲属性データ（３３）をハードディスク（５）から検索する。ここで、番組関連データは、前述したように、本来、音楽番組を流している途中にディスプレイに表示するためのデータであり、通常このように検索キーとして利用されることなどは想定されていない。したがって、番組関連データには音楽番組の「曲名」や「アーティスト名」などの文字列が、例えば、カンマ区切りやスペース区切などの所定の表記規則に従って、整然と記述されている場合もあるし、規則性の無い一連の文字列といった場合もある。
【００１６】
中央制御手段（３）は、抽出した「曲名」および「アーティスト名」を含んだ楽曲属性データ（３３）を検索すると、検索された楽曲属性データ（３３）に対応するカラオケ楽曲の「曲名」や「アーティスト名」に加え、「楽曲ＩＤコード」などからなる情報の一覧を、ディスプレイ（７）に表示して、利用者に選曲予約操作を促す。中央制御手段（３）は、利用者が利用者インタフェイス（１９）により選曲予約操作を行うと、選曲予約されたカラオケ楽曲の演奏を前述した通常のカラオケ演奏の場合と同じようにして開始する。
【００１７】
一方、前記検索の結果、該当の「曲名」および「アーティスト名」に対応する楽曲属性データ（３３）が存在しなかった場合、ディスプレイ（７）には、当該楽曲が利用できない旨のメッセージを流すと共に、ハードディスク（５）の所定エリアには、その「曲名」および「アーティスト名」などからなるカラオケ収納希望データ（３４）が一時記録される。このカラオケ収納希望データ（３４）は、所定期間をおいて適宜に集計され、定期的にカラオケ収納希望曲として、多数のカラオケ演奏装置とネットワーク回線を介して接続している通信カラオケホスト装置や、所定のカラオケ演奏装置と接続しているカラオケ提供者端末などに転送される。カラオケ提供者は、このカラオケ収納希望データ（３４）ににより、利用者が所望するカラオケ楽曲を効率的に把握でき、リクエストの多い楽曲順に楽曲演奏データを制作することができる。
【００１８】
次に、図２に示す、ＣＳデジタル放送信号のデータストリーム構成図に基づき、音楽番組とこれに多重されたテキスト形式の番組関連データについて詳述する。先ず、ビット構成からなるデータストリーム（４１）はＴＳ（Transport
Stream）パケット（４２）と呼ばれる所定のデータ長のパケットにより区切られ、各パケットはパケットヘッダ部（４３）とペイロード（４４）と呼ばれるデータ格納部により構成される。この内、パケットヘッダ部（４３）にはパケットの同期符号や識別符号が記入され、某ペイロード（４４ａ）にはＭＰＥＧ２形式で圧縮符号化された音楽番組の映像信号や音声信号が多重されたデータ（４５）が格納される。また、これとは別のペイロード（４４ｂ）には放送中の音楽番組の曲名・アーティスト名・作曲者名などの情報がテキストデータ形式で記述された番組関連データ（４６）が多重されている。なお、この番組関連データ（４６）は、前述した従来例における楽曲ＩＤのようにカラオケ演奏装置での利用のために特別に多重される情報ではなく、一般的なデジタル放送の利用時において番組の途中にディスプレイに表示するなどデジタル放送の付加サービスの提供や、デジタル放送の運用管理に利用することなどを目的として多重されるデータである。
【００１９】
なお、本実施例では、ＣＳやＢＳなどの衛星を利用したデジタル放送を対象としているが、本発明はこれに限らず、例えば、インターネットを利用したＩＰラジオによるデジタル放送を対象とすることもできる。図３はＩＰラジオのデータストリーム構成図である。音声情報を構成するデータストリーム（５１）は複数のＭＰ３フレーム（５２）の列で構成されており、各ＭＰ３フレーム（５２）はフレームヘッダ部（５３）とペイロード（５４）からなる。フレームヘッダ部（５３）には制御情報が、ペイロード（５４）にはＢＧＭ楽曲を一定の時間に区切った各区間の音声情報の符号化データが含まれている。これらＭＰ３フレーム（５２）は所定個数づつパケットに載せられ、所定のカラオケ演奏装置に送信される。そして、そのフレームヘッダ部（５３）の所定位置にはプライベートビット（５５）を有しており、ビット数は１ビットと小さいが未使用となっているため、複数のプライベートビット（５５）を寄せ集めれば、１つのプライベートタグフレームが構成できる。したがって、これにテキスト形式の番組関連データを多重すれば、前述したＣＳデジタル放送と同様の原理でシステムを運用できる。
【００２０】
以上、詳述したように、本発明のカラオケ演奏装置によれば、デジタル放送の番組関連データから抽出した文字列を検索キーとして、これによりカラオケ楽曲属性データを検索し、該当カラオケ楽曲の演奏予約を行うと共に、該当カラオケ楽曲がない場合には、そのカラオケ楽曲をカラオケ収納希望楽曲として記録しておき、記録された当該カラオケ収納希望楽曲を適宜な伝達手段により外部システムに伝達させることで、曲名もアーティスト名も分からない状態でも利用者が容易に演奏予約ができ、かつ、利用者がカラオケ演奏装置に保持されていない楽曲を希望要請したり、カラオケ提供者が人気のカラオケ楽曲を効率的に把握できる。
【図面の簡単な説明】
【００２１】
【図１】本発明のカラオケ演奏装置のブロック構成図。
【図２】ＣＳデジタル放送信号のデータストリーム構成図。
【図３】ＩＰラジオのデータストリーム構成図。
【符号の説明】
【００２２】
１  カラオケ演奏装置
３  中央制御手段
５  ハードディスク
７  ディスプレイ
２５  デジタル放送受信手段
２９  楽曲演奏データ
３３  楽曲属性データ
３４  カラオケ収納希望データ
【図１】
2005215304.tif 000003
【図２】
2005215304.tif 000004
【図３】
2005215304.tif 000005